(57)【要約】【課題】スリープモード移行後も空調機の最新の運転状態を無線リモコンへ反映することができる空調システムを提供する。【解決手段】空調システムは、無線リモコンと、室内機と、を備え、前記無線リモコンのスリープモード中に、所定のタイミングで前記無線リモコンが復帰し、その復帰に同期して前記無線リモコンと前記室内機とが通信を行い、前記無線リモコンが、前記室内機から最新の運転状態を取得する。【選択図】図１
2020202533.tif 000002
【特許請求の範囲】
【請求項１】
無線リモコンと、
前記無線リモコンが制御対象とする第１の室内機と、
を備え、
前記無線リモコンがスリープモードで動作している間に、所定のタイミングで前記無線リモコンが前記スリープモードから一時的に復帰し、その復帰に同期して前記第１の室内機が前記無線リモコンと通信を行う、
空調システム。
【請求項２】
無線リモコンと、
前記無線リモコンが制御対象とする第２の室内機と、
前記無線リモコンと前記第２の室内機との通信を中継する第１の室内機と、
を備え、
前記無線リモコンがスリープモードで動作している間に、所定のタイミングで前記無線リモコンが前記スリープモードから一時的に復帰し、その復帰に同期して前記第１の室内機が前記無線リモコンと通信を行う、
空調システム。
【請求項３】
一時的に復帰したときの前記通信によって、前記無線リモコンが、前記第１の室内機の最新の運転状態を取得する、
請求項１に記載の空調システム。
【請求項４】
一時的に復帰したときの前記通信によって、前記無線リモコンが、前記第２の室内機の最新の運転状態を取得する、
請求項２に記載の空調システム。
【請求項５】
前記無線リモコンが前記スリープモードへの移行を決定すると、
前記無線リモコンは、前記スリープモードから一時的に復帰する復帰時刻を設定し、
前記第１の室内機は、前記復帰時刻から所定の時間内のある時刻を、前記無線リモコンとの通信を開始する時刻として設定する、
請求項１から請求項４の何れか１項に記載の空調システム。
【請求項６】
無線リモコンと通信する室内機であって、
前記無線リモコンがスリープモードへ移行すると、前記無線リモコンが前記スリープモードから一時的に復帰する所定の復帰時刻に同期して、前記無線リモコンとの通信を開始する、
室内機。
【請求項７】
室内機と通信する無線リモコンであって、
スリープモード移行後の所定の復帰時刻に前記スリープモードから一時的に復帰して、前記室内機から制御対象の空調機の運転状態を取得する、
無線リモコン。
【請求項８】
前記スリープモードから通常モードに移行すると、
取得した前記運転状態を表示部に表示する、
請求項７に記載の無線リモコン。
【請求項９】
無線リモコンと、室内機と、を備える空調システムの制御方法であって、
前記無線リモコンがスリープモードで動作している間に、所定のタイミングで前記無線リモコンを前記スリープモードから一時的に復帰させ、その復帰に同期して前記室内機と前記無線リモコンとの通信を行う、
制御方法。
【請求項１０】
室内機のコンピュータを、
無線リモコンからスリープモードへの移行の通知を取得する手段、
前記通知を取得してから所定の時間が経過すると、前記無線リモコンとの通信を開始する手段、
として機能させるためのプログラム。
【請求項１１】
無線リモコンのコンピュータを、
スリープモードへの移行の通知を室内機へ送信する手段、
前記通知の送信後に所定の時間が経過すると、前記スリープモードから一時的に復帰する手段、
前記スリープモードから一時的に復帰したときに前記室内機から制御対象の空調機の運転状態を取得する手段、
として機能させるためのプログラム。
【発明の詳細な説明】
【技術分野】
【０００１】
本発明は、空調システム、室内機、無線リモコン、制御方法及びプログラムに関する。
【背景技術】
【０００２】
空調機の無線リモコンは、携帯性や利便性の観点から充電池による駆動が可能とされることが多い。充電池の消耗を防ぐため、ユーザがしばらく操作を行わないと無線リモコンはスリープモードに移行する。リモコンのスリープモード中に空調機の運転状態が変わると、次にユーザがリモコンを操作するときに、リモコンの表示部に表示されている設定と空調機の運転状態とが相違し、混乱を招く可能性がある。
例えば、特許文献１には、リモコンがスリープモードから復帰すると、室内機へ最新の運転情報を要求する動作が開示されている。
【先行技術文献】
【特許文献】
【０００３】
【特許文献１】特開２０１５−１０６７６０号
【発明の概要】
【発明が解決しようとする課題】
【０００４】
空調機用の無線リモコンには、スリープモードに移行した後も空調機の運転状態を取得する必要がある。
【０００５】
そこでこの発明は、上述の課題を解決することのできる空調システム、室内機、無線リモコン、制御方法及びプログラムを提供することを目的としている。
【課題を解決するための手段】
【０００６】
本発明の一態様によれば、空調システムは、無線リモコンと、前記無線リモコンが制御対象とする第１の室内機と、を備え、前記無線リモコンがスリープモードで動作している間に、所定のタイミングで前記無線リモコンが前記スリープモードから一時的に復帰し、その復帰に同期して前記第１の室内機が前記無線リモコンと通信を行う。
【０００７】
本発明の一態様によれば、空調システムは、無線リモコンと、前記無線リモコンが制御対象とする第２の室内機と、前記無線リモコンと前記第２の室内機との通信を中継する第１の室内機と、を備え、前記無線リモコンがスリープモードで動作している間に、所定のタイミングで前記無線リモコンが前記スリープモードから一時的に復帰し、その復帰に同期して前記第１の室内機が前記無線リモコンと通信を行う。
【０００８】
本発明の一態様によれば、前記空調システムでは、前記無線リモコンが、一時的に復帰したときの前記通信によって、前記第１の室内機の最新の運転状態を取得する。
【０００９】
本発明の一態様によれば、前記空調システムでは、前記無線リモコンが、一時的に復帰したときの前記通信によって、前記第２の室内機の最新の運転状態を取得する。
【００１０】
本発明の一態様によれば、前記空調システムでは、前記無線リモコンが前記スリープモードへの移行を決定すると、前記無線リモコンは、前記スリープモードから一時的に復帰する復帰時刻を設定し、前記第１の室内機は、前記復帰時刻から所定の時間内のある時刻を、前記無線リモコンとの通信を開始する時刻として設定する。
【００１１】
本発明の一態様によれば、室内機は、無線リモコンと通信する室内機であって、前記無線リモコンがスリープモードへ移行すると、前記無線リモコンが前記スリープモードから一時的に復帰する所定の復帰時刻に同期して、前記無線リモコンとの通信を開始する。
【００１２】
本発明の一態様によれば、無線リモコンは、室内機と通信する無線リモコンであって、スリープモード移行後の所定の復帰時刻に前記スリープモードから一時的に復帰して、前記室内機から制御対象の空調機の運転状態を取得する。
【００１３】
本発明の一態様によれば、前記無線リモコンは、前記スリープモードから通常モードに移行すると、取得した前記運転状態を表示部に表示する。
【００１４】
本発明の一態様によれば、制御方法は、無線リモコンと、室内機と、を備える空調システムの制御方法であって、前記無線リモコンがスリープモードで動作している間に、所定のタイミングで前記無線リモコンを前記スリープモードから一時的に復帰させ、その復帰に同期して前記室内機と前記無線リモコンとの通信を行う。
【００１５】
本発明の一態様によれば、プログラムは、室内機のコンピュータを、無線リモコンからスリープモードへの移行の通知を取得する手段、前記通知を取得してから所定の時間が経過すると、前記無線リモコンとの通信を開始する手段、として機能させる。
【００１６】
本発明の一態様によれば、プログラムは、無線リモコンのコンピュータを、スリープモードへの移行の通知を室内機へ送信する手段、前記通知の送信後に所定の時間が経過すると、前記スリープモードから一時的に復帰する手段、前記スリープモードから一時的に復帰したときに前記室内機から制御対象の空調機の運転状態を取得する手段、として機能させる。
【発明の効果】
【００１７】
本発明によれば、無線リモコンがスリープモードに移行した後も空調機の最新の運転状態を取得することができる。
【図面の簡単な説明】
【００１８】
【図１】本発明の一実施形態における空調システムの一例を示すブロック図である。
【図２】本発明の一実施形態における無線リモコンのスリープモード中の動作の一例を示す図である。
【図３】本発明の一実施形態における空調システムのハードウェア構成の一例を示す図である。
【発明を実施するための形態】
【００１９】
（空調システムの通信の概要）
以下、本発明の各実施形態による空調システムについて図面を参照して説明する。
図１は、本発明の一実施形態における空調システムの一例を示すブロック図である。
図示するように空調システムは、室内機２０Ａ，２０Ｂ、無線リモコン１０Ａ，１０Ｂを備える。室内機２０Ａおよび室内機２０Ｂの構成は同様である。無線リモコン１０Ａと無線リモコン１０Ｂの構成は同様である。室内機２０Ａ等は３台以上であってもよいし、１台であってもよい。無線リモコン１０Ａ等は３台以上であってもよいし、１台であってもよい。室内機２０Ａ等が複数台設けられている場合、複数の室内機２０Ａ，２０Ｂ等は互いに通信を行う。
【００２０】
複数の室内機２０Ａ等のうち、１台は基地局となる。基地局は、無線リモコン１０Ａ等や室内機２０Ａ等の間の通信を制御する。以下の説明では、室内機２０Ａを基地局とする。まず、基地局は、装置間の通信を中継する。例えば、無線リモコン１０Ａと無線リモコン１０Ｂが室内機２０Ｂに割り当てられている場合、つまり室内機２０Ｂに対して無線リモコン１０Ａと無線リモコン１０Ｂの両方から設定が可能な場合、ユーザが無線リモコン１０Ｂで設定操作を行うと、無線リモコン１０Ｂは室内機２０Ａへ空調の設定情報を送信する。室内機２０Ａは、この設定情報を受信して、室内機２０Ｂへ送信する。室内機２０Ｂは、設定情報に基づいて空調制御を行う。
【００２１】
また、基地局は、通信を主導する。具体的には、基地局が室内機２０Ｂ、無線リモコン１０Ａ，１０Ｂの各装置に所定の時間間隔で通信可能時間を割り当てる。基地局以外の装置は、割り当てられた通信可能時間の間だけ基地局との通信が可能となる。基地局は、通信可能時間となると、通信対象の装置にポーリング信号を送信する。ポーリング信号の送信を契機として、基地局と各装置と通信が開始される。
【００２２】
例えば、無線リモコン１０Ａに通信可能時間が割り当てられ、無線リモコン１０Ａが基地局である室内機２０Ａと通信を行っている間に、無線リモコン１０Ｂに対してユーザの操作が行われても、無線リモコン１０Ｂと基地局(室内機２０Ａ)との間の通信は、直ぐには開始されない。無線リモコン１０Ａに割り当てられた通信可能時間が経過し、無線リモコン１０Ｂに通信可能時間が割り当てられると、先ほどユーザが行った操作に関する設定情報が、無線リモコン１０Ｂから室内機２０Ａへ送信される。そして、室内機２０Ａへ送信された設定情報は、室内機２０Ｂに通信可能時間が割り当てられたときに、室内機２０Ａから室内機２０Ｂへ送信される。これによってユーザが無線リモコン１０Ｂに対して入力した設定内容が室内機２０Ｂに伝達される。また、同様にして、基地局には、室内機２０Ｂとの通信時に室内機２０Ｂの制御情報が送信される。空調システムの通信を中継する基地局には、室内機２０Ｂの最新の制御情報、無線リモコン１０Ａ，１０Ｂに入力された最新の設定情報が送信される。基地局はこれらの情報を記憶している。また、次に無線リモコン１０Ａの通信可能時間が到来したときには、先に無線リモコン１０Ｂへ入力された室内機２０Ｂに対する設定情報が、室内機２０Ａから無線リモコン１０Ａへ送信される。無線リモコン１０Ａおよび無線リモコン１０Ｂが通常モードで動作している場合には、無線リモコン１０Ａと無線リモコン１０Ｂは、所定の時間間隔で基地局と通信し、基地局から室内機２０Ｂの運転状態を取得する。そのため、無線リモコン１０Ａと無線リモコン１０Ｂは、室内機２０Ｂに対して設定された最新の設定情報に基づく、室内機２０Ｂの最新の運転状態を共有する。
なお、ユーザの操作への応答を高めるため、基地局は、室内機２０Ｂに比べ、無線リモコン１０Ａ，１０Ｂへより高頻度に通信可能時間を割り当てるようにしてもよい。
【００２３】
ところで、無線リモコン１０Ａは、充電池１２Ａで駆動する。無線リモコン１０Ａは、充電池１２Ａの電力消費を抑制するため、所定時間以上、ユーザからの操作が無い場合などには通常モードからスリープモードへ移行する。一般的にスリープモード移行以後は、無線リモコン１０Ａは、自身に割り当てられた通信可能時間が到来しても基地局との通信は行わない。例えば、室内機２０Ｂに対して無線リモコン１０Ａ、１０Ｂが対応付けられている場合、即ち、無線リモコン１０Ａ、１０Ｂの何れからも室内機２０Ｂに対して冷暖房運転の開始や終了、室内温度の設定などの操作が可能である場合、最後に無線リモコン１０Ａを操作して室内機２０Ｂに対する設定（例えば、冷房２８℃）を行った後に、無線リモコン１０Ａがスリープモードに移行したとする。そして、その後、ユーザが、無線リモコン１０Ｂを用いて、室内機２０Ｂに対して別の設定（例えば、冷房２６℃）を行った場合、ユーザが、次に無線リモコン１０Ａを操作したときに、無線リモコン１０Ａの表示部に表示される「冷房２８℃」は、現在の室内機２０Ｂの運転状態「冷房２６℃」と異なることになる。
【００２４】
そこで、本実施形態の空調システムでは、無線リモコン１０Ａがスリープモードに移行した後も、所定のタイミングでスリープモードから一時的に復帰し、基地局である室内機２０Ａと通信を行い、設定対象の室内機２０Ｂの最新の制御情報を取得する。
【００２５】
（室内機の構成）
次に室内機２０Ａの機能構成について説明する。室内機２０Ａは、無線通信回路２１Ａと、制御マイコン２２Ａと、計時回路ＲＴＣ２３Ａと、センサ入力回路２４Ａと、アクチュエータ出力回路２５Ａと、空調制御通信回路２６Ａと、を備える。
無線通信回路２１Ａは、無線リモコン１０Ａ，１０Ｂ、室内機２０Ｂ等と無線通信を行う。
【００２６】
制御マイコン２２Ａは、ＣＰＵなどを備えたコンピュータである。制御マイコン２２Ａは、室内機２０Ａの動作を制御する。また、制御マイコン２２Ａは、基地局として、無線リモコン１０Ａ，１０Ｂ、室内機２０Ｂ等の通信の中継を行う。通信の制御は、基地局が行う。例えば、制御マイコン２２Ａは、無線リモコン１０Ａ，１０Ｂ、室内機２０Ｂに所定時間ずつ通信可能時間を割り当てて、無線通信回路２１Ａを介して各装置との通信を行う。また、例えば、無線リモコン１０Ａがスリープモードへ移行すると、無線リモコン１０Ａの復帰に同期して無線リモコン１０Ａへポーリング信号を送信し、無線リモコン１０Ａとの通信を開始する。
【００２７】
計時回路ＲＴＣ２３Ａは、時間を計測する。制御マイコン２２Ａは、計時回路ＲＴＣ２３Ａが計測する時間に基づいて、無線リモコン１０Ｂ、室内機２０Ａ，２０Ｂへ通信可能時間を割り当てる。また、制御マイコン２２Ａは、計時回路ＲＴＣ２３Ａが計測する時間に基づいて、無線リモコン１０Ａのスリープモードからの一時的復帰に同期して、無線リモコン１０Ａへ通信可能時間を割り当て、無線リモコン１０Ａとの通信を行う。
【００２８】
センサ入力回路２４Ａは、温度センサ、湿度センサ、人勧センサなどの室内機２０Ａが備える各種センサの計測値を取得する。
アクチュエータ出力回路２５Ａは、ルーバやファンのモータなどの室内機２０Ａが備える各種アクチュエータを制御する。
空調制御通信回路２６Ａは、不図示の室外機との間で制御信号を通信する。
【００２９】
（無線リモコンの構成）
次に無線リモコン１０Ａの機能構成について説明する。無線リモコン１０Ａは、電源回路１１Ａと、充電池１２Ａと、制御マイコン１３Ａと、無線通信回路１４Ａと、計時回路ＲＴＣ１５Ａと、操作入力回路１６Ａと、ＬＣＤ表示制御回路１７Ａと、を備える。
電源回路１１Ａは、充電池１２Ａから供給される電力を所定の電圧に変換して、制御マイコン１３Ａ等へ供給する。充電池１２Ａは、無線リモコン１０Ａの電源である。
【００３０】
制御マイコン１３Ａは、ＣＰＵなどを備えたコンピュータである。制御マイコン１３Ａは、無線リモコン１０Ａの起動、停止、ユーザが入力した設定情報の送信など各種動作を制御する。また、制御マイコン１３Ａは、無線リモコン１０Ａの動作モードを切り替える。例えば、操作入力回路１６Ａへ所定時間入力が無いと、制御マイコン１３Ａは、通常モードからスリープモードへ動作モードを移行する。スリープモードへ移行すると、制御マイコン１３Ａは、表示部の表示を停止する等して電力消費を抑制する。一般の無線リモコンはスリープモードへ移行すると室内機との通信も停止するが、本実施形態では、制御マイコン１３Ａは、所定のタイミングで一時的にスリープモードから復帰して基地局との通信を行い、制御対象の室内機２０Ａ等の最新の運転状態を取得するよう制御する。また、制御マイコン１３Ａは、スリープモードから通常モードに復帰するときに、不図示の表示部にスリープモード中に取得した最新の運転状態を表示するようＬＣＤ表示制御回路１７Ａへ指示する。
【００３１】
無線通信回路１４Ａは、基地局を介して、制御対象の室内機２０Ａ，２０Ｂ等と無線通信を行う。
計時回路ＲＴＣ１５Ａは、時間を計測する。例えば、制御マイコン１３Ａは、計時回路ＲＴＣ１５Ａに設定された復帰時刻で発生されるアラーム割込みにてスリープモードから一時的に復帰する。
操作入力回路１６Ａは、無線リモコン１０Ａが備える不図示の操作ボタンに対するユーザの操作を受け付ける。
ＬＣＤ表示制御回路１７Ａは、無線リモコン１０Ａが備える不図示の表示部の表示制御を行う。
【００３２】
次に無線リモコン１０Ａが室内機２０Ｂに対する設定を行うよう対応付けられており、基地局が室内機２０Ａであるとして、無線リモコン１０Ａのスリープ中の動作について説明する。
【００３３】
（スリープモード中の制御）
図２は、本発明の一実施形態における無線リモコンのスリープモード中の動作の一例を示す図である。
まず、無線リモコン１０Ａにて、制御マイコン１３Ａが、スリープモードへの移行を判断する（ステップＳ１）。基地局である室内機２０Ａでは、制御マイコン２２Ａが、無線リモコン１０Ａの通信可能時間が訪れると、無線通信回路２１Ａを介して無線リモコン１０Ａへポーリング信号を送信する（ステップＳ２）。無線通信回路１４Ａは、ポーリング信号を受信する。ポーリング信号の受信により、無線リモコン１０Ａは基地局との通信が可能となる。ステップＳ１の判断において、スリープモードへの移行を決定した場合、制御マイコン１３Ａは、室内機２０Ａからのポーリング信号に対して、スリープモード移行通知を送信するよう無線通信回路１４Ａへ指示する。無線通信回路１４Ａは、スリープモード移行通知を室内機２０Ａへ送信する（ステップＳ３）。
【００３４】
また、制御マイコン１３Ａは、スリープモードから時的に復帰する復帰時刻（例えば、２分後）を設定するとともに無線リモコン１０Ａの動作をスリープモードへ移行する（ステップＳ４）。一方、室内機２０Ａにて無線通信回路２１Ａがスリープモード移行通知を受信すると、制御マイコン２２Ａは、リモコン復帰時刻を設定する（ステップＳ５）。
【００３５】
制御マイコン２２Ａが設定するリモコン復帰時刻は、無線リモコン１０Ａにてスリープモードから通常モードへ移行するために要する時間等を考慮して、無線リモコン１０Ａにて制御マイコン１３Ａが設定する復帰時刻より所定時間α分だけ未来の時刻が設定されていてもよい。これにより、スリープモードからの一時的な復帰が完了する前に、室内機２０Ａから無線リモコン１０Ａへポーリング信号を送信することを防ぐことができる。
【００３６】
復帰時刻は、予め定められていて、その情報が室内機２０Ａと無線リモコン１０Ａの間で共有されていてもよい。あるいは、無線リモコン１０Ａが、スリープモード移行通知とともに復帰時刻を室内機２０Ａへ送信してもよい。さらには、無線リモコン１０Ａが、充電池１２Ａの充電残量をもとに復帰時刻を可変としても良い。または、スリープモード移行通知を受信した室内機２０Ａが、無線リモコン１０Ａにスリープモードからの復帰時刻を指示してもよい。また、復帰時刻は、例えば、無線リモコン１０Ａに通信可能時間が割り当てられるタイミングに合わせて設定されてもよい。
【００３７】
スリープモードに移行とともに計時回路ＲＴＣ１５Ａには復帰時刻によるアラームが設定され、復帰時刻が到来すると、復帰を要求するアラームを意味する割り込み信号を発生させる。割り込み信号により、制御マイコン１３Ａは、スリープモードから通常モードへ移行（復帰）する（ステップＳ６）。
【００３８】
一方、室内機２０Ａでは、無線リモコン１０Ａがスリープモードで動作している間も、制御マイコン２２Ａの制御により、基地局である室内機２０Ａと室内機２０Ｂ、無線リモコン１０Ｂの間の通信が所定時間ごとに繰り返し行われる。例えば、ユーザによる無線リモコン１０Ｂの操作により、室内機２０Ｂの設定情報に変更が生じた場合、無線リモコン１０Ｂから室内機２０Ａへ最新の設定情報が送信され、室内機２０Ａから室内機２０Ｂへその設定情報が送信される。また、室内機２０Ｂから室内機２０Ａへは、最新の室内機２０Ｂの制御情報が送信される。
【００３９】
また、制御マイコン２２Ａは、計時回路ＲＴＣ２３Ａの計測する時間を監視して、リモコン復帰時刻が到来するとポーリング信号を送信する（ステップＳ７）。無線リモコン１０Ａでは、無線通信回路１４Ａがポーリング信号を受信すると、制御マイコン１３Ａが、制御対象である室内機２０Ｂの最新の運転状態を要求する。無線通信回路１４Ａは、最新の運転状態を要求する信号を室内機２０Ａに送信する（ステップＳ８）。室内機２０Ａでは、無線通信回路２１Ａが、最新の運転状態を要求する信号を受信する。制御マイコン２２Ａは、室内機２０Ｂの最新の運転状態（設定情報を含む）を、無線通信回路２１Ａを介して無線リモコン１０Ａに送信する（ステップＳ１０）。無線リモコン１０Ａでは、制御マイコン１３Ａが、無線通信回路１４Ａを介して、室内機２０Ｂの最新の運転状態を取得し、この情報を記憶する。運転状態には、冷房や暖房等の室内機２０Ｂの運転モード、設定温度が含まれる。
【００４０】
制御マイコン１３Ａは、通常モードへ移行するか再びスリープモードへ移行するかを判断し（ステップＳ１０）、判断したモードで動作する。例えば、無線リモコン１０Ａに対するユーザの操作が無い場合、制御マイコン１３Ａは、再度スリープモードへ移行し、ステップＳ４以降の処理を繰り返す。これにより充電池１２Ａの消耗を防ぐことができる。
【００４１】
無線リモコン１０Ａに対するユーザの操作があった場合、操作入力回路１６Ａは、この操作を受け付け、ユーザの操作内容に対応する信号を制御マイコン１３Ａへ出力する。制御マイコン１３Ａは、ユーザ操作に対応する信号を取得すると、スリープモードから復帰し、通常モードへ移行する。制御マイコン１３Ａは、通常モードへ移行するときに最新の運転状態を表示するようＬＣＤ表示制御回路１７Ａに指示する。ＬＣＤ表示制御回路１７Ａは、無線リモコン１０Ａの表示部に室内機２０Ｂの最新の運転状態を表示する。
【００４２】
上記例では、無線リモコン１０Ａが室内機２０Ｂと対応付けられていることとしたが、室内機２０Ａと対応付けられている場合でも同様の処理によって、無線リモコン１０Ａは、スリープモード中に基地局かつ制御対象である室内機２０Ａの運転状態を取得することができる。
【００４３】
このように本実施形態では、無線リモコン１０Ａがスリープモードに移行した後も、所定のタイミングで一時的にスリープモードから復帰し、その復帰に同期して室内機２０Ａ（基地局）と通信を行い、室内機２０Ａから制御対象の室内機（例えば、室内機２０Ｂ又は室内機２０Ａ）の最新の運転状態（設定情報）を取得する。また、無線リモコン１０Ａが通常モードへ移行する場合には、取得した最新の運転状態を表示部に表示する。これにより、スリープモードで動作している間に室内機２０Ａの運転状態が変更になった場合でも、スリープモードから復帰した時に、室内機２０Ａの最新の運転状態を表示することができる。従って、ユーザの混乱を防止することができる。
【００４４】
また、本実施形態によれば、無線リモコン１０Ａがスリープモードへの移行を決定すると、無線リモコン１０Ａと室内機２０Ａとが復帰タイミングの決定を行い、このタイミングに合わせて最新の運転状態の送信を行う。そして、無線リモコン１０Ａは、最新の運転状態を取得した後、速やかにスリープモードへ移行する。これにより、充電池１２Ａの電力の消耗を最小限に抑えることができる。
【００４５】
なお、上記実施形態では、無線リモコン１０Ａ，１０Ｂが自発的に通信を開始することができず、無線リモコン１０Ａが一時的に復帰するタイミングで基地局から通信を開始して、短時間のうちに無線リモコン１０Ａの状態更新を行って電流消費を抑えることとしたが、無線リモコン１０Ａが主導して室内機２０Ａとの通信を開始してもよい。例えば、スリープモード中の無線リモコン１０Ａに通信可能時間が割り当てられる時間帯に、無線リモコン１０Ａが、一時的に復帰して室内機２０Ａに最新の運転状態を要求する信号を送信してもよい。
【００４６】
図３は、本発明の一実施形態における空調システムのハードウェア構成の一例を示す図である。
コンピュータ９００は、ＣＰＵ９０１、主記憶装置９０２、補助記憶装置９０３、入出力インタフェース９０４、通信インタフェース９０５を備える。
上述の制御マイコン１３Ａ、制御マイコン２２Ａの各々は、コンピュータ９００を備える。そして、上述した各機能は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、記憶領域を主記憶装置９０２に確保する。また、ＣＰＵ９０１は、プログラムに従って、処理中のデータを記憶する記憶領域を補助記憶装置９０３に確保する。
【００４７】
制御マイコン１３Ａ、制御マイコン２２Ａの全部または一部の機能を実現するためのプログラムをコンピュータ読み取り可能な記録媒体に記録して、この記録媒体に記録されたプログラムをコンピュータシステムに読み込ませ、実行することにより各機能部による処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また、このプログラムが通信回線によってコンピュータ９００に配信される場合、配信を受けたコンピュータ９００が当該プログラムを主記憶装置９０２に展開し、上記処理を実行しても良い。また、上記プログラムは、前述した機能の一部を実現するためのものであっても良く、さらに前述した機能をコンピュータシステムにすでに記録されているプログラムとの組み合わせで実現できるものであってもよい。
【００４８】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
上記の実施形態で無線リモコン１０Ａの制御対象を室内機２０Ｂ、基地局を室内機２０Ａとしたときの室内機２０Ｂは第２の室内機の一例、室内機２０Ａは第１の室内機の一例である。無線リモコン１０Ａの制御対象を室内機２０Ａ、基地局を室内機２０Ａとしたときの室内機２０Ａは第１の室内機の一例である。
【符号の説明】
【００４９】
１０Ａ、１０Ｂ・・・無線リモコン
１１Ａ・・・電源回路
１２Ａ・・・充電池
１３Ａ・・・制御マイコン
１４Ａ・・・無線通信回路
１５Ａ・・・計時回路ＲＴＣ
１６Ａ・・・操作入力回路
１７Ａ・・・ＬＣＤ表示制御回路
２０Ａ、２０Ｂ・・・室内機
２１Ａ・・・無線通信回路
２２Ａ・・・制御マイコン
２３Ａ・・・計時回路ＲＴＣ
２４Ａ・・・センサ入力回路
２５Ａ・・・アクチュエータ出力回路
２６Ａ・・・空調制御通信回路
９００・・・コンピュータ
９０１・・・ＣＰＵ
９０２・・・主記憶装置
９０３・・・補助記憶装置
９０４・・・入出力インタフェース
９０５・・・通信インタフェース
【図１】
2020202533.tif 000003
【図２】
2020202533.tif 000004
【図３】
2020202533.tif 000005